(57)【特許請求の範囲】
【請求項１】
基地局と、
中継局を介する第１の通信モードで、前記基地局と通信する複数の移動局と、
前記基地局が受信した前記複数の移動局それぞれの少なくとも位置情報を含む関連情報を管理する管理装置と、
を備え、
前記複数の移動局のうちのいずれかである第１の移動局が前記中継局から送信される電波による無線エリアの圏外に位置して、前記第１の通信モードで前記基地局と通信できない状態となったとき、前記第１の移動局は、前記第１の通信モードから前記中継局を介しない通信方式である第２の通信モードへと切り替える第１の通信モード切り替え手段を有し、
前記管理装置は、
前記第１の移動局の位置情報を取得できないとき、前記複数の移動局のうち、前記第１の通信モードで前記基地局と通信可能な移動局であり、前記第１の移動局から最後に取得した関連情報に含まれる位置情報が示す位置と最も近い位置にある第２の移動局を選択する選択手段と、
前記基地局に、前記第２の移動局に前記第１の移動局の関連情報を取得するよう指示する指示信号を供給する供給手段と、
を有し、
前記基地局は、前記指示信号に応答して、前記第２の移動局に、前記第１の通信モードから前記第２の通信モードへと切り替えて、前記第１の移動局の関連情報を取得するよう制御する制御信号を送信する送信手段を有し、
前記第２の移動局は、
前記制御信号に応答して、前記第１の通信モードから前記第２の通信モードへと切り替える第２の通信モード切り替え手段と、
前記第２の通信モードの状態で、前記第１の移動局の関連情報を要求する要求信号を、前記第２の通信モードに切り替えられている前記第１の移動局に送信する送信手段と、
を有し、
前記第１の移動局は、前記要求信号に応答して、前記第１の移動局の関連情報を前記第２の移動局に送信する送信手段をさらに有し、
前記第２の移動局は、
前記第１の移動局より送信された関連情報を受信する受信手段と、
前記第１の移動局より関連情報を受信したら、前記第２の通信モードから前記第１の通信モードへと切り替える第３の通信モード切り替え手段と、
前記第１の通信モードの状態で、前記第１の移動局より受信した関連情報を前記基地局に送信する送信手段と、
をさらに有し、
前記基地局は、前記第２の移動局より受信した関連情報を前記管理装置に供給する供給手段をさらに有する
ことを特徴とする無線通信システム。
【請求項２】
前記管理装置の前記選択手段は、前記第１の移動局が圏外となる前の最後の関連情報に含まれる位置情報が示す位置に最も近い位置の前記第２の移動局を選択する
ことを特徴とする請求項１に記載の無線通信システム。
【請求項３】
前記第１の通信モードはトランキング方式を用いた通信モードであり、
前記第２の通信モードは、前記第１の移動局と前記第２の移動局とが直接的に通信する直接通信モードである
ことを特徴とする請求項１または２に記載の無線通信システム。
【請求項４】
基地局と、中継局を介する第１の通信モードで、前記基地局と通信する複数の移動局と、前記基地局が受信した前記複数の移動局それぞれの少なくとも位置情報を含む関連情報を管理する管理装置とを備える無線通信システムの制御方法であり、
前記複数の移動局のうちのいずれかである第１の移動局が前記中継局から送信される電波による無線エリアの圏外に位置して、前記第１の通信モードで前記基地局と通信できない状態となったら、前記第１の移動局を、前記第１の通信モードから前記中継局を介しない通信方式である第２の通信モードへと切り替え、
前記管理装置が、前記第１の移動局の関連情報を取得できないとき、前記複数の移動局のうち、前記第１の通信モードで前記基地局と通信可能な移動局であり、前記第１の移動局から最後に取得した関連情報に含まれる位置情報が示す位置と最も近い位置にある第２の移動局を選択し、
前記管理装置が、前記基地局に、前記第２の移動局に前記第１の移動局の関連情報を取得するよう指示する指示信号を供給し、
前記基地局が、前記指示信号に応答して、前記第２の移動局に、前記第１の通信モードから前記第２の通信モードへと切り替えて、前記第１の移動局の関連情報を取得するよう制御する制御信号を送信し、
前記第２の移動局が、前記制御信号に応答して、前記第１の通信モードから前記第２の通信モードへと切り替え、
前記第２の移動局が、前記第２の通信モードの状態で、前記第１の移動局の関連情報を要求する要求信号を、前記第２の通信モードに切り替えられている前記第１の移動局に送信し、
前記第１の移動局が、前記要求信号に応答して、前記第１の移動局の関連情報を前記第２の移動局に送信し、
前記第２の移動局が、前記第１の移動局より送信された関連情報を受信し、
前記第２の移動局が、前記第１の移動局より関連情報を受信したら、前記第２の通信モードから前記第１の通信モードへと切り替え、
前記第２の移動局が、前記第１の通信モードの状態で、前記第１の移動局より受信した関連情報を前記基地局に送信し、
前記基地局が、前記第２の移動局より受信した関連情報を前記管理装置に供給する
ことを特徴とする無線通信システムの制御方法。
【請求項５】
前記管理装置は、前記第１の移動局と最も近い位置にある前記第２の移動局を選択する際に、前記第１の移動局が圏外となる前の最後の関連情報に含まれる位置情報が示す位置に最も近い位置の前記第２の移動局を選択する
ことを特徴とする請求項４に記載の無線通信システムの制御方法。
【請求項６】
基地局と、中継局を介する第１の通信モードで、前記基地局と通信する複数の移動局と、前記基地局が受信した前記複数の移動局それぞれの少なくとも位置情報を含む関連情報を管理する管理装置とを備える無線通信システムにおける、前記複数の移動局のうちのいずれかである移動局であって、
前記移動局は、前記複数の移動局のうちのいずれかである他の移動局が前記中継局から送信される電波による無線エリアの圏外に位置して、前記第１の通信モードで前記基地局と通信できない状態となり、前記第１の通信モードから前記中継局を介しない通信方式である第２の通信モードへと切り替えられたとき、前記管理装置が前記他の移動局から最後に取得した関連情報に含まれる位置情報が示す位置と最も近い位置にある移動局であり、
前記基地局から、前記第１の通信モードから前記第２の通信モードへと切り替えて、前記他の移動局の関連情報を取得するよう制御する制御信号を受信したら、前記第１の通信モードから前記第２の通信モードへと切り替える第１の通信モード切り替え手段と、
前記第２の通信モードの状態で、前記他の移動局の関連情報を要求する要求信号を、前記第２の通信モードに切り替えられている前記他の移動局に送信する送信手段と、
前記他の移動局が前記要求信号に応答して送信した前記他の移動局の関連情報を受信する受信手段と、
前記受信手段が前記他の移動局の関連情報を受信したら、前記第２の通信モードから前記第１の通信モードへと切り替える第２の通信モード切り替え手段と、
前記第１の通信モードの状態で、前記受信手段が前記他の移動局より受信した関連情報を前記基地局に送信する送信手段と、
を備えることを特徴とする移動局。
【発明の詳細な説明】
【技術分野】
【０００１】
本発明は、無線通信システム、無線通信システムの制御方法、移動局に関する。
【背景技術】
【０００２】
基地局と複数の移動局とが中継局を介して通信する無線通信システムがある。この種の無線通信システムにおいては、中継局から送信される電波が届く無線エリア圏内で基地局と移動局とが通信することができる。
【０００３】
特許文献１には、移動局が無線エリア圏外に移動したときに、無線エリア圏外に位置する複数の移動局どうしで直接的に無線通信することが記載されている。
【先行技術文献】
【特許文献】
【０００４】
【特許文献１】特開２００１−９５０４３号公報
【発明の概要】
【発明が解決しようとする課題】
【０００５】
基地局には管理装置が接続され、管理装置が、移動局に関する情報、移動局周辺の環境情報、移動局を使用しているそれぞれのユーザに関する情報のうちのいずれかを管理することがある。移動局に関する情報、移動局周辺の環境情報、ユーザに関する情報を移動局の関連情報と称することとする。
【０００６】
移動局が無線エリア圏外に移動すると、無線エリア圏外に移動した移動局は、中継局を介して基地局と通信することはできないため、移動局の関連情報を基地局に送信することができなくなる。よって、管理装置は、無線エリア圏外に移動した移動局の関連情報を管理することができなくなるという問題点がある。
【０００７】
特許文献１に記載されている従来の技術では、上記の問題点を解決することはできず、上記の問題点を解決するための新たな手法が求められている。
【０００８】
本発明はこのような要望に対応するため、移動局が無線エリア圏外に移動した場合であっても、移動局の関連情報を管理することができる無線通信システム、無線通信システムの制御方法、移動局を提供することを目的とする。
【課題を解決するための手段】
【０００９】
本発明は、基地局と、中継局を介する第１の通信モードで、前記基地局と通信する複数の移動局と、前記基地局が受信した前記複数の移動局それぞれの少なくとも位置情報を含む関連情報を管理する管理装置とを備え、前記複数の移動局のうちのいずれかである第１の移動局が前記中継局から送信される電波による無線エリアの圏外に位置して、前記第１の通信モードで前記基地局と通信できない状態となったとき、前記第１の移動局は、前記第１の通信モードから前記中継局を介しない通信方式である第２の通信モードへと切り替える第１の通信モード切り替え手段を有し、前記管理装置は、前記第１の移動局の位置情報を取得できないとき、前記複数の移動局のうち、前記第１の通信モードで前記基地局と通信可能な移動局であり、前記第１の移動局から最後に取得した関連情報に含まれる位置情報が示す位置と最も近い位置にある第２の移動局を選択する選択手段と、前記基地局に、前記第２の移動局に前記第１の移動局の関連情報を取得するよう指示する指示信号を供給する供給手段とを有し、前記基地局は、前記指示信号に応答して、前記第２の移動局に、前記第１の通信モードから前記第２の通信モードへと切り替えて、前記第１の移動局の関連情報を取得するよう制御する制御信号を送信する送信手段を有し、前記第２の移動局は、前記制御信号に応答して、前記第１の通信モードから前記第２の通信モードへと切り替える第２の通信モード切り替え手段と、前記第２の通信モードの状態で、前記第１の移動局の関連情報を要求する要求信号を、前記第２の通信モードに切り替えられている前記第１の移動局に送信する送信手段とを有し、前記第１の移動局は、前記要求信号に応答して、前記第１の移動局の関連情報を前記第２の移動局に送信する送信手段をさらに有し、前記第２の移動局は、前記第１の移動局より送信された関連情報を受信する受信手段と、前記第１の移動局より関連情報を受信したら、前記第２の通信モードから前記第１の通信モードへと切り替える第３の通信モード切り替え手段と、前記第１の通信モードの状態で、前記第１の移動局より受信した関連情報を前記基地局に送信する送信手段とをさらに有し、前記基地局は、前記第２の移動局より受信した関連情報を前記管理装置に供給する供給手段をさらに有することを特徴とする無線通信システムを提供する。
【００１０】
また、本発明は、基地局と、中継局を介する第１の通信モードで、前記基地局と通信する複数の移動局と、前記基地局が受信した前記複数の移動局それぞれの少なくとも位置情報を含む関連情報を管理する管理装置とを備える無線通信システムの制御方法であり、前記複数の移動局のうちのいずれかである第１の移動局が前記中継局から送信される電波による無線エリアの圏外に位置して、前記第１の通信モードで前記基地局と通信できない状態となったら、前記第１の移動局を、前記第１の通信モードから前記中継局を介しない通信方式である第２の通信モードへと切り替え、前記管理装置が、前記第１の移動局の関連情報を取得できないとき、前記複数の移動局のうち、前記第１の通信モードで前記基地局と通信可能な移動局であり、前記第１の移動局から最後に取得した関連情報に含まれる位置情報が示す位置と最も近い位置にある第２の移動局を選択し、前記管理装置が、前記基地局に、前記第２の移動局に前記第１の移動局の関連情報を取得するよう指示する指示信号を供給し、前記基地局が、前記指示信号に応答して、前記第２の移動局に、前記第１の通信モードから前記第２の通信モードへと切り替えて、前記第１の移動局の関連情報を取得するよう制御する制御信号を送信し、前記第２の移動局が、前記制御信号に応答して、前記第１の通信モードから前記第２の通信モードへと切り替え、前記第２の移動局が、前記第２の通信モードの状態で、前記第１の移動局の関連情報を要求する要求信号を、前記第２の通信モードに切り替えられている前記第１の移動局に送信し、前記第１の移動局が、前記要求信号に応答して、前記第１の移動局の関連情報を前記第２の移動局に送信し、前記第２の移動局が、前記第１の移動局より送信された関連情報を受信し、前記第２の移動局が、前記第１の移動局より関連情報を受信したら、前記第２の通信モードから前記第１の通信モードへと切り替え、前記第２の移動局が、前記第１の通信モードの状態で、前記第１の移動局より受信した関連情報を前記基地局に送信し、前記基地局が、前記第２の移動局より受信した関連情報を前記管理装置に供給することを特徴とする無線通信システムの制御方法を提供する。
【００１１】
さらに、本発明は、基地局と、中継局を介する第１の通信モードで、前記基地局と通信する複数の移動局と、前記基地局が受信した前記複数の移動局それぞれの少なくとも位置情報を含む関連情報を管理する管理装置とを備える無線通信システムにおける、前記複数の移動局のうちのいずれかである移動局であって、前記移動局は、前記複数の移動局のうちのいずれかである他の移動局が前記中継局から送信される電波による無線エリアの圏外に位置して、前記第１の通信モードで前記基地局と通信できない状態となり、前記第１の通信モードから前記中継局を介しない通信方式である第２の通信モードへと切り替えられたとき、前記管理装置が前記他の移動局から最後に取得した関連情報に含まれる位置情報が示す位置と最も近い位置にある移動局であり、前記基地局から、前記第１の通信モードから前記第２の通信モードへと切り替えて、前記他の移動局の関連情報を取得するよう制御する制御信号を受信したら、前記第１の通信モードから前記第２の通信モードへと切り替える第１の通信モード切り替え手段と、前記第２の通信モードの状態で、前記他の移動局の関連情報を要求する要求信号を、前記第２の通信モードに切り替えられている前記他の移動局に送信する送信手段と、前記他の移動局が前記要求信号に応答して送信した前記他の移動局の関連情報を受信する受信手段と、前記受信手段が前記他の移動局の関連情報を受信したら、前記第２の通信モードから前記第１の通信モードへと切り替える第２の通信モード切り替え手段と、前記第１の通信モードの状態で、前記受信手段が前記他の移動局より受信した関連情報を前記基地局に送信する送信手段とを備えることを特徴とする移動局を提供する。
【発明の効果】
【００１２】
本発明の無線通信システム、無線通信システムの制御方法、移動局によれば、移動局が無線エリア圏外に移動した場合であっても、管理装置が移動局の関連情報を管理することが可能となる。
【図面の簡単な説明】
【００１３】
【図１】一実施形態の無線通信システムを示す概念図である。
【図２】一実施形態の無線通信システムの一部を構成する基地局及び管理装置の概略的な構成を示すブロック図である。
【図３】一実施形態の移動局の概略的な構成を示すブロック図である。
【図４】一実施形態の無線通信システムの動作を説明するためのシーケンス図である。
【図５】一実施形態の移動局の動作を説明するためのフローチャートである。
【発明を実施するための形態】
【００１４】
以下、一実施形態の無線通信システム、無線通信システムの制御方法、移動局について、添付図面を参照して説明する。
【００１５】
図１において、中継局１には、レピータ２が接続されている。基地局３は無線端末によって構成され、基地局３には管理装置４が接続されている。管理装置４は、パーソナル・コンピュータによって構成することができる。
【００１６】
中継局１から送信される電波は、一点鎖線にて示す無線エリア１００で囲まれた範囲に届く。無線エリア１００の圏内には、基地局３と、無線端末によって構成される複数の移動局が存在している。
【００１７】
図１においては、移動局５ｂ，５ｃは無線エリア１００の圏内に位置しており、移動局５ａは無線エリア１００の圏外に位置している。移動局５ａ〜５ｃのいずれかを特定しない移動局を移動局５と称することとする。
【００１８】
図１に示す例では、基地局３と、無線エリア１００の圏内に位置する移動局５ｂ，５ｃとは、中継局１を介して通信することができる。一方、基地局３と、無線エリア１００の圏外に位置している移動局５ａとは、通信することができない。
【００１９】
基地局３と無線エリア１００の圏内に位置する移動局５とは、一例として、レピータ２が制御するトランキング方式によって通信する。トランキング方式は、制御チャネルを用いて移動局５を呼び出した後に、所定の通話チャネルに移行させる通信方式である。なお、通話チャネルは動的に割り当てられる。
【００２０】
管理装置４は、複数の移動局５それぞれの関連情報を管理する。管理装置４は、基地局３の関連情報を併せて管理してもよい。
【００２１】
移動局５の関連情報は、例えば、移動局５の位置情報である。移動局５の関連情報は、移動局５の位置情報に加えて、移動局５（即ち、無線端末）自体に関する電池残量情報や使用時間情報等の情報であってもよい。
【００２２】
移動局５の関連情報は、移動局５の位置情報に加えて、移動局５周辺の温度、湿度、気圧、放射線量等の環境情報であってもよい。この場合、移動局５に温度、湿度、気圧、放射線量等を測定するセンサを接続すればよい。
【００２３】
移動局５の関連情報は、移動局５の位置情報に加えて、移動局５を使用しているそれぞれのユーザに関する情報として、心拍数、脈拍数、体温等の生体情報であってもよい。この場合、ユーザに心拍数、脈拍数、体温等を測定するセンサを装着し、センサが測定した生体情報を移動局５に供給すればよい。
【００２４】
管理装置４が移動局５の関連情報をどのように取得して管理するかについては後述する。
【００２５】
図１において、三角形のマークは移動局５の位置の軌跡を示している。移動局５ａは、無線エリア１００の圏内で、位置Ｐａ１から位置Ｐａ２、位置Ｐａ２から位置Ｐａ３へと移動し、無線エリア１００の圏外である位置Ｐａ４へと移動したとする。
【００２６】
移動局５ｂは、無線エリア１００の圏内で、位置Ｐｂ１から位置Ｐｂ２、位置Ｐｂ２から位置Ｐｂ３、位置Ｐｂ３から位置Ｐｂ４へと移動したとする。移動局５ｃは、無線エリア１００の圏内で、位置Ｐｃ１から位置Ｐｃ２、位置Ｐｃ２から位置Ｐｃ３、位置Ｐｃ３から位置Ｐｃ４へと移動したとする。
【００２７】
ここでは、移動局５が無線エリア１００の範囲内を圏内、範囲外を圏外としている。但し、移動局５が無線エリア１００の範囲内に位置していても、ユーザが地下に移動したり、建物によって電波が届きにくい場所に移動したりした場合には、圏外となることがある。
【００２８】
無線エリア１００の圏外とは、中継局１からの距離が無線エリア１００の範囲内か範囲外であるかにかかわらず、移動局５が電波を受信できない、もしくは受信できても復調できない状態である。
【００２９】
図２，図３を用いて、基地局３と移動局５の概略的な構成を説明する。図２に示すように、基地局３は、制御部３１と、記憶部３２と、送信部３３と、受信部３４と、送受信アンテナ３５と、位置情報受信部３６と、位置情報受信アンテナ３７とを有する。制御部３１には、管理装置４が接続されている。
【００３０】
制御部３１は、送受信アンテナ３５を介して音声信号または制御信号を送信するよう送信部３３を制御する。受信部３４は、送受信アンテナ３５を介して入力された音声信号を受信して制御部３１に供給する。
【００３１】
受信部３４は、送受信アンテナ３５を介して入力された移動局５の関連情報を受信することがある。移動局５の関連情報は記憶部３２に入力され、一時記憶される。制御部３１は、記憶部３２に一時記憶された移動局５の関連情報を管理装置４に供給する。管理装置４は、移動局５の関連情報を管理する。記憶部３２は、制御部３１の外部に設けられていてもよい。
【００３２】
位置情報受信部３６は、位置情報受信アンテナ３７を介して入力された基地局３の位置を示す位置情報を受信する。基地局３の位置情報は、記憶部３２に入力されて一時記憶される。
【００３３】
制御部３１は、記憶部３２に一時記憶された基地局３の位置情報を管理装置４に供給する。管理装置４は、基地局３の位置情報を管理する。
【００３４】
位置情報受信部３６は、一例として、複数のＧＰＳ衛星からのＧＰＳ信号を受信するＧＰＳ信号受信部である。位置情報受信部３６が複数のＧＰＳ衛星からのＧＰＳ信号に基づいて基地局３の位置を算出してもよいし、制御部３１が基地局３の位置を算出してもよい。
【００３５】
位置情報受信部３６が無線ＬＡＮ（Wi-Fi）のアクセスポイントの位置情報を受信し、位置情報受信部３６または制御部３１がアクセスポイントの位置情報に基づいて基地局３の位置を算出してもよい。基地局３の位置情報を取得する方法は特に限定されない。
【００３６】
管理装置４は、必ずしも基地局３の位置情報を管理する必要はない。管理装置４が基地局３の位置情報を管理しない場合には、位置情報受信部３６及び位置情報受信アンテナ３７は省略可能である。
【００３７】
図３に示すように、移動局５は、制御部５１と、記憶部５２と、送信部５３と、受信部５４と、送受信アンテナ５５と、位置情報受信部５６と、位置情報受信アンテナ５７とを有する。
【００３８】
制御部５１は、送受信アンテナ５５を介して音声信号を送信するよう送信部５３を制御する。制御部５１は、後述する要求信号を送信するよう送信部５３を制御する場合がある。受信部５４は、送受信アンテナ５５を介して入力された音声信号を受信して制御部５１に供給する。
【００３９】
位置情報受信部５６は、位置情報受信アンテナ５７を介して入力された移動局５の位置を示す位置情報を受信する。移動局５の位置情報は、記憶部５２に入力されて一時記憶される。位置情報受信部５６は、位置情報受信部３６と同様である。
【００４０】
制御部５１は、記憶部５２に一時記憶された移動局５の位置情報を、送受信アンテナ５５及び中継局１を介して基地局３に送信するよう制御する。制御部５１は、移動局５の位置情報に加えて、移動局５自体に関する情報、図示していないセンサによって測定された環境情報や生体情報を基地局３に送信するよう制御してもよい。
【００４１】
図２に示す基地局３及び図３に示す移動局５においては、マイクロホン、スピーカ、ＰＴＴスイッチ等の記載を省略している。
【００４２】
次に、図４に示すシーケンス図を用いて、管理装置４が無線エリア１００の圏外である位置Ｐａ４に位置している移動局５ａの関連情報を取得する方法を説明する。ここでは簡略化のため、関連情報は位置情報であるとする。
【００４３】
基地局３は、予め設定された時間ごとに、自己の位置情報を取得して、管理装置４に供給するように構成されている。移動局５は、予め設定された時間ごとに、自己の位置情報を取得して、基地局３に送信するように構成されている。
【００４４】
基地局３と複数の移動局５とは、中継局１を介する中継通信モード（第１の通信モード）で通信する。中継通信モードは、一例としてトランキング方式による通信である。
【００４５】
図４において、基地局３は、ステップＳ１にて位置情報を取得し、ステップＳ２にて位置情報を管理装置４に供給する。移動局５ａは、ステップＳ３にて位置情報を取得し、ステップＳ４にて位置情報を基地局３に送信する。基地局３は、ステップＳ５にて受信した移動局５ａの位置情報を管理装置４に供給する。
【００４６】
移動局５ｂは、ステップＳ６にて位置情報を取得し、ステップＳ７にて位置情報を基地局３に送信する。基地局３は、ステップＳ８にて受信した移動局５ｂの位置情報を管理装置４に供給する。移動局５ｃは、ステップＳ９にて位置情報を取得し、ステップＳ１０にて位置情報を基地局３に送信する。基地局３は、ステップＳ１１にて受信した移動局５ｃの位置情報を管理装置４に供給する。
【００４７】
ステップＳ１，Ｓ３，Ｓ６，Ｓ９の順は単なる一例であり、この順に限定されるものではない。基地局３及び移動局５が予め設定された時間ごとに自己の位置情報を取得する代わりに、基地局３及び移動局５が、管理装置４によって位置情報の取得を指示されたときに位置情報を取得するように構成してもよい。
【００４８】
移動局５ａが無線エリア１００の圏外である位置Ｐａ４に位置すると、移動局５ａは中継局１を介して基地局３と通信できないため、移動局５ａは、ステップＳ１２にて、直接通信モード（第２の通信モード）に切り替える。
【００４９】
直接通信モードとは、複数の移動局５どうしが中継局１を介さず通信するモードである。直接通信モードで用いられる電波の周波数は、中継通信モードで用いられる電波の周波数とは異なる。直接通信モードでは、固定の通話チャネルが用いられる。
【００５０】
直接通信モードは中継局１を介さない第２の通信モードの一例である。ブルートゥース（登録商標）、無線ＬＡＮ（Wi-Fi）、携帯電話回線による通信も第２の通信モードとすることができる。
【００５１】
図示を省略しているが、ステップＳ１１以降、無線エリア１００の圏内に位置している基地局３及び移動局５ｂ，５ｃは位置情報を取得し、それぞれの位置情報を管理装置４に供給する動作が実行される。
【００５２】
管理装置４は、予め設定された時間が経過しても移動局５ａの位置情報を取得することができないため、ステップＳ１３にて、移動局５ａの位置情報を要求する要求信号を基地局３に供給する。基地局３は、要求信号を受けて、ステップＳ１４にて、移動局５ａに位置情報の送信を要求する制御信号を送信する。
【００５３】
しかしながら、移動局５ａは無線エリア１００の圏外に位置しているため制御信号を受信できない。仮に、移動局５ａが制御信号を受信すれば、ステップＳ１５にて、位置情報の送信の要求に対する返答として位置情報を送信するが、ステップＳ１５の返答はない。
【００５４】
基地局３は、ステップＳ１６にて、移動局５ａからの返答がない旨を示す識別信号を管理装置４に供給する。
【００５５】
管理装置４は、ステップＳ１７にて、移動局５ａとの通信が不可であると判定する。これに続き、管理装置４は、ステップＳ１８にて、移動局５ａに最も近い位置の移動局５を選択する。
【００５６】
詳細には、管理装置は、移動局５ａから最後に取得された位置情報（位置Ｐａ３）を参照し、移動局５ａの現在位置は最後に取得された位置情報が示す位置Ｐａ３から大きくは離れていないということを根拠として、位置Ｐａ３に最も近い位置の移動局５を選択する。図１の例では、移動局５ｂが移動局５ａに最も近い。
【００５７】
そこで、管理装置４は、ステップＳ１９にて、基地局３に、移動局５ｂに移動局５ａの位置情報を取得するよう指示する指示信号を供給する。基地局３は、指示信号を受けて、ステップＳ２０にて、移動局５ｂに、中継通信モードから直接通信モードへと切り替えて、移動局５ａの位置情報を取得するよう制御する制御信号を送信する。
【００５８】
移動局５ｂは、ステップＳ２１にて、直接通信モードに切り替える。移動局５ａがステップＳ１２にて既に直接通信モードに移行しており、移動局５ｂがステップＳ２１にて直接通信モードに移行することにより、図１に示すように、移動局５ａ，５ｂは、中継局１を介さず直接的に通信することができる。
【００５９】
移動局５ｂから送信される電波は、一点鎖線にて示す無線エリア５０で囲まれた範囲に届く。無線エリア５０は、無線エリア１００と比較して小さい。なお、無線エリア５０，１００それぞれの円の大きさは、実際の無線エリアの広さを表すものではない。
【００６０】
移動局５ａが直接通信可能な無線エリア５０の圏内に位置していれば、移動局５ｂは移動局５ａと直接的に通信することができる。
【００６１】
移動局５ｂは、ステップＳ２２にて、移動局５ａの位置情報を要求する要求信号を移動局５ａに送信する。移動局５ａは、要求信号を受けて、ステップＳ２３にて、位置情報を移動局５ｂに送信する。
【００６２】
移動局５ｂは、移動局５ａから位置情報を受信したら、ステップＳ２４にて、直接通信モードから中継通信モードへと切り替える。移動局５ｂは、ステップＳ２５にて、移動局５ａの位置情報を基地局３に送信する。基地局３は、ステップＳ２６にて、移動局５ａの位置情報を管理装置４に供給する。
【００６３】
以上により、管理装置４は、無線エリア１００の圏外に位置している移動局５ａの位置情報を取得して管理することができる。
【００６４】
移動局５の位置情報と移動局５自体に関する情報を関連情報とした場合には、管理装置４は、ある移動局５が圏外の状態となったとしても、圏外の状態となった移動局５の電池残量情報や使用時間情報等を管理することが可能となる。
【００６５】
移動局５の位置情報と環境情報を関連情報とした場合には、管理装置４は、ある移動局５が圏外の状態となったとしても、圏外の状態となった移動局５周辺の温度、湿度、気圧、放射線量等を管理することが可能となる。
【００６６】
移動局５の位置情報と生体情報を関連情報とした場合には、管理装置４は、ある移動局５が圏外の状態となったとしても、圏外の状態となった移動局５を使用しているユーザの心拍数、脈拍数、体温等を管理することが可能となる。
【００６７】
図５に示すフローチャートを用いて、移動局５ｂの動作をさらに詳細に説明する。図５において、移動局５ｂは、ステップS501にて、移動局５ｂを直接通信モードに切り替え、移動局５ａの位置情報を取得する要求信号を受信する。移動局５ｂは、ステップS502にて、直接通信モードに切り替える。ステップS502は、図４のステップＳ２１に相当する。
【００６８】
移動局５ｂは、ステップS503にて、リトライ残数が０であるか否かを判定する。初期のリトライ数は、例えば“５”のように適宜設定すればよい。リトライ残数が０でなければ（NO）、移動局５ｂは、ステップS504にて、移動局５ａに対して位置情報の送信を要求する。ステップS504は、図４のステップＳ２２に相当する。
【００６９】
移動局５ｂは、ステップS505にて、位置情報を受信したか否かを判定する。移動局５ｂは、位置情報を受信すれば（YES）、ステップS506にて、中継通信モードに切り替える。ステップS506は、図４のステップＳ２４に相当する。
【００７０】
移動局５ｂは、ステップS507にて、位置情報を基地局３に送信して、処理を終了させる。ステップS507は、図４のステップＳ２５に相当する。
【００７１】
一方、移動局５ｂは、位置情報を受信しなければ（NO）、ステップS508にて、リトライ残数から１を減算して、処理をステップS503に戻す。ステップS503〜S505は、リトライ残数が０になるまで繰り返される。
【００７２】
移動局５ｂは、ステップS503にてリトライ残数が０であれば、処理を終了させる。
【００７３】
ところで、移動局５ａの図３における制御部５１と、図４におけるステップＳ１２は、中継通信モードから直接通信モードへと切り替える通信モード切り替え手段として機能する。
【００７４】
図４におけるステップＳ１８は、複数の移動局５のうち、中継通信モードで基地局３と通信可能な移動局５であり、圏外の状態となった移動局５ａと最も近い位置にある移動局５を選択する選択手段として機能する。
【００７５】
図４におけるステップＳ１９は、基地局３に、移動局５ｂに移動局５ａの位置情報を取得するよう指示する指示信号を供給する供給手段として機能する。
【００７６】
基地局３の図２における制御部３１及び送信部３３と、図４におけるステップＳ２０は、指示信号に応答して、移動局５ｂに、中継通信モードから直接通信モードへと切り替えて、移動局５ａの関連情報を取得するよう制御する制御信号を送信する送信手段として機能する。
【００７７】
移動局５ｂの図３における制御部５１と、図４におけるステップＳ２１または図５におけるステップS502は、制御信号に応答して、中継通信モードから直接通信モードへと切り替える通信モード切り替え手段として機能する。
【００７８】
移動局５ｂの図３における制御部５１及び送信部５３と、図４におけるステップＳ２２は、直接通信モードの状態で、移動局５ａの関連情報を要求する要求信号を、直接通信モードに切り替えられている移動局５ａに送信する送信手段として機能する。
【００７９】
移動局５ａの図３における制御部５１及び送信部５３と、図４におけるステップＳ２３は、要求信号に応答して、移動局５ａの関連情報を移動局５ｂに送信する送信手段として機能する。
【００８０】
移動局５ｂの図３における受信部５４は、移動局５ａより送信された関連情報を受信する受信手段として機能する。移動局５ｂの図３における制御部５１と、図４におけるステップＳ２４または図５におけるステップS506は、移動局５ａより関連情報を受信したら、直接通信モードから中継通信モードへと切り替える通信モード切り替え手段として機能する。
【００８１】
移動局５ｂの図３における送信部５３と、図４におけるステップＳ２５または図５におけるステップS507は、中継通信モードの状態で、移動局５ａより受信した関連情報を基地局３に送信する送信手段として機能する。
【００８２】
基地局３の図２における制御部３１と、図４におけるステップＳ２６は、移動局５ｂより受信した関連情報を管理装置４に供給する供給手段として機能する。
【００８３】
本実施形態の無線通信システムは、例えば、消防士が移動局５を所持しながら、消火活動する際に利用できる。管理装置４が、消防士それぞれの生体情報を管理するように構成すれば、消防士の安全を管理しながら消火活動を行うことができる。
【００８４】
本実施形態の無線通信システムによれば、移動局５が一時的に圏外の状態となっても、移動局５の関連情報を取得することが可能となるので、消防士の安全管理に大きく貢献することが可能となる。
【００８５】
本発明は以上説明した本実施形態に限定されるものではなく、本発明の要旨を逸脱しない範囲において種々変更可能である。無線通信システムをハードウェアによって構成してもよいし、部分的にソフトウェア（コンピュータプログラム）によって構成してもよい。ハードウェアとソフトウェアとの使い分けは任意である。
【符号の説明】
【００８６】
１  中継局
２  レピータ
３  基地局
４  管理装置
５ａ，５ｂ，５ｃ  移動局
５０，１００  無線エリア
【図１】
0006375991.tif 000002
【図２】
0006375991.tif 000003
【図３】
0006375991.tif 000004
【図４】
0006375991.tif 000005
【図５】
0006375991.tif 000006